(57)【要約】【課題】開口部の戸尻側屋内外両面に鏡板を配すると共に、鏡板の戸先側端部に屋内外の方立を設けて戸袋を形成した上吊り式引き戸において、優れた気密構造を有するものとする。【解決手段】戸袋を屋内外両鏡板１２、１３からなるものとし、全閉状態の戸体１の屋内外両四周縁部と、これに対向する上下両枠７、１１、戸先側縦枠９、鏡板１２、１３の戸先側縁に設けられる屋内外側両方立１４、１５とのあいだを、舌片２３ａ、２４ａ、２５ａ、２６ａ、２７ａ、２８ａ、３０ｃ、３１ｃが互いに逆側に向けて傾斜するようにして設けられた気密材２３、２４、２５、２６、２７、２８、３０、３１によってそれぞれ封止した。【選択図】図４
2012052291.tif 000002
【特許請求の範囲】
【請求項１】
上下両枠、戸先側縦枠、戸尻側縦枠により成形される開口部の戸尻側屋内外両面にパネルを配すると共に、パネルの戸先側端部に屋内外の方立を設けて戸袋を形成する一方、上枠に設けた吊りレールに、戸体の上部に設けた吊りローラを転動させることで開閉するように構成した上吊り式引き戸において、
全閉状態の戸体の屋内外両四周部と、前記上下両枠、戸先側縦枠の戸体に対向する各屋内外側両面および屋内外側両方立の戸体対向面とのあいだを気密材で封止したことを特徴とする上吊り式引き戸における気密構造。
【請求項２】
気密材のうち、戸体の下端部と下枠とのあいだを封止する屋内外の気密材は戸体側に設けられいることを特徴とする請求項１記載の上吊り式引き戸における気密構造。
【請求項３】
各気密材には封止用の舌片が延設されており、屋内外で対向する各気密材の舌片は、戸体の戸厚中心面に対して対称状に傾斜していることを特徴とする請求項１又は２記載の上吊り式引き戸における気密構造。
【請求項４】
吊りレールは、戸先側が低くなるよう傾斜していることを特徴とする請求項１乃至３の何れか１記載の上吊り式引き戸における気密構造。
【請求項５】
戸体下端部に設けられる気密材は、戸体に対して上下動自在に設けられ、自重垂下することで下枠とのあいだを封止していることを特徴とする請求項１乃至４の何れか１記載の上吊り式引き戸における気密構造。
【請求項６】
上枠には、戸体を自閉させるための自閉装置が設けられていることを特徴とする請求項１乃至５の何れか１記載の上吊り式引き戸における気密構造。
【発明の詳細な説明】
【技術分野】
【０００１】
本発明は、玄関ドア等の上吊り式引き戸における気密構造の技術分野に関するものである。
【背景技術】
【０００２】
一般に、玄関ドア等の上吊り式引き戸のなかには、開放時、戸体を戸袋納まりにしたものがあり、このようなものについて戸体が全閉しているときに気密性を付与したものがある（例えば特許文献１）。このものは室内側に戸袋用のパネルを設けた片側閉鎖式の戸袋のものであり、このものにおいて戸体を全閉したときの気密性を付与するため、戸袋の戸先側端部に設けた方立、開口部上枠、戸先側縦枠、そして下枠（沓摺り）の戸体対向面に気密材をそれぞれ組み込み、戸体全閉時にこれら気密材が戸体に弾性的に当接することで気密機能を付与するようにしている。
【先行技術文献】
【特許文献】
【０００３】
【特許文献１】特許第４４８７２８９号公報
【発明の概要】
【発明が解決しようとする課題】
【０００４】
ところで前記従来のものは、戸袋用パネルが室内側のみにある片側閉鎖式の戸袋であるため、戸体の室内側四周面部を気密材で封止することで気密機能を発揮していたが、さらに気密機能を向上させたい、という要求があり、ここに本発明の解決すべき課題がある。
【課題を解決するための手段】
【０００５】
本発明は、上記の如き実情に鑑みこれらの課題を解決することを目的として創作されたものであって、請求項１の発明は、上下両枠、戸先側縦枠、戸尻側縦枠により成形される開口部の戸尻側屋内外両面にパネルを配すると共に、パネルの戸先側端部に屋内外の方立を設けて戸袋を形成する一方、上枠に設けた吊りレールに、戸体の上部に設けた吊りローラを転動させることで開閉するように構成した上吊り式引き戸において、全閉状態の戸体の屋内外両四周部と、前記上下両枠、戸先側縦枠の戸体に対向する各屋内外側両面および屋内外側両方立の戸体対向面とのあいだを気密材で封止したことを特徴とする上吊り式引き戸における気密構造である。
請求項２の発明は、気密材のうち、戸体の下端部と下枠とのあいだを封止する屋内外の気密材は戸体側に設けられていることを特徴とする請求項１記載の上吊り式引き戸における気密構造である。
請求項３の発明は、各気密材には封止用の舌片が延設されており、屋内外で対向する各気密材の舌片は、戸体の戸厚中心面に対して対称状に傾斜していることを特徴とする請求項１又は２記載の上吊り式引き戸における気密構造である。
請求項４の発明は、戸体下枠に設けられる気密材は、戸体に対して上下動自在に設けられ、自重垂下することで下枠とのあいだを封止していることを特徴とする請求項１乃至３の何れか１記載の上吊り式引き戸における気密構造である。
請求項５の発明は、吊りレールは、戸先側が低くなるよう傾斜していることを特徴とする請求項１乃至４の何れか１記載の上吊り式引き戸における気密構造である。
請求項６の発明は、上枠には、戸体を自閉させるための自閉装置が設けられていることを特徴とする請求項１乃至５の何れか１記載の上吊り式引き戸における気密構造である。
【発明の効果】
【０００６】
請求項１の発明とすることにより、戸体の屋内外が封止された気密性の高い引き戸とすることができる。
請求項２の発明とすることにより、バリアフリーの観点からも優れた引き戸とすることができる。
請求項３の発明とすることにより、屋内外からの空気侵入に対して高い気密性を発揮することができる。
請求項４の発明とすることにより、開閉作動に対して僅かな摺動抵抗とすることができる。
請求項５、６の発明とすることにより、戸体を確実に全閉姿勢にして気密状態にしやすいものとすることができる。
【図面の簡単な説明】
【０００７】
【図１】屋内側からの上吊式引き戸装置の全体図である。
【図２】上吊式引き戸装置の概略正面図である。
【図３】上吊式引き戸装置の横断面図である。
【図４】上吊式引き戸装置の縦断面図である。
【図５】図４の上吊式引き戸装置における一部拡大断面図である。
【発明を実施するための形態】
【０００８】
以下、本発明の第一の実施の形態について、図面に基づいて説明する。
図面において、１は建物における玄関等の開口部を開閉する自閉上吊り式引き戸を構成する戸体であって、該戸体１の上フレーム２には左右一対（戸先側と戸尻側）のローラブラケット３、４が設けられ、該ローラブラケット３、４に吊りローラ５、６が回転自在に軸支されている。そして戸体１は、吊りローラ５、６が開口部上枠７に設けた吊りレール８を転動することで開口部の開閉をするようになっているが、前記開口部は、上枠７、左右（戸先側、戸尻側）の縦枠９、１０、そして下枠１１とにより矩形状に形成されている。なお、該下枠１１は、戸先側半部を沓摺り１１ａ、戸尻側半部を幅木１１ｂとして構成されている。また、開口部の戸尻側半部は、屋内外のパネル１２、１３によって封止し、該屋内外のパネル１２、１３の戸先側端部には、上下枠７、１１に亘るようにして屋内外の方立１４、１５を設けることで戸袋を構成している。尚、吊りレール８は、戸先側が戸尻側に対し低くなるよう傾斜しており、これによって戸体１の開口部閉鎖側への移動を支援するようになっている。
前記上枠７の戸先側部位には自閉装置１６が設けられているが、該自閉装置１６から延びる索条（ワイヤ）１６ａが戸先側ローラブラケット３に連結されていて開放された戸体１を閉鎖側に向けて引き作動し、これによって戸体１は自閉するようになっている。また戸先側ローラブラケット３にはさらに制動装置１７が設けられていて、全閉間近になった戸体１の移動に制動を与えて静かでショックのない閉鎖をするように構成されている。尚、本実施の形態の自閉装置はコンスタントスプリングを用いて構成されているが、錘式のものでもよいことは勿論である。そして本実施の形態では、自閉装置１６を備えたことで、吊りレール８の傾斜を緩くすることができ、開閉操作時の操作性の向上を図っている。
一方、前記沓摺り１１ａは、戸体１の戸厚幅よりも大幅の逆凵形状をし、平面となった上面１１ｃがフロアＦから僅かに高位になったＣ型沓摺りで構成され、段差のないバリアフリーとする配慮がなされているが、該下枠１１の方立１４、１５対応位置には、戸体１の下フレーム１８に形成される逆凹溝となる振れ止め溝１８ａに嵌入して戸体１の屋内外方向の振れ止めをする振れ止め材１９が設けられている。
尚、図中、２０は戸体１の戸先側内外に設けられた把手、２１はドアアイ（覗き孔）である。また、２２ａ、２２ｂは戸体１が全閉した状態で方立１４、１５に隠れるようにして戸尻側屋内外面に設けたタイトバーであって、該タイトバー２２ａ、２２ｂは、ドアアイ２１よりも屋内外側に突出するようにして設けられている。
【０００９】
方立１４、１５の戸体１側対向面には戸体対向側が開口したポケット１４ａ、１５ａが形成され、該ポケット１４ａ、１５ａにゴム弾性を有した戸尻側気密材２３、２４がそれぞれ組み込まれている。この戸尻側気密材２３、２４からは舌片（ヒレ）２３ａ、２４ａが戸体１側に向けて延出しているが、該舌片２３ａ、２４ａは、何れも戸先側に向けて傾斜することで戸厚中心面Ｍに対して対称状（逆側）に傾斜している。そして該舌片２３ａ、２４ａは、戸体１が全閉状態になったとき、前記タイトバー２２ａ、２２ｂに当接して気密するようになっているが、戸体１を全閉姿勢から開放方向に移動するのと殆ど同時にタイトバー２２ａ、２２ｂから離間し、これによって舌片２３ａ、２４ａは戸体１の屋内外面は勿論のこと、開閉途中で通るドアアイ２１にも当接しないように設定されているので移動抵抗がない。
【００１０】
一方、戸先側縦枠９の戸体１側対向面には戸体対向側が開口したポケット９ａ、９ｂが形成され、該ポケット９ａ、９ｂにゴム弾性を有した戸先側気密材２５、２６がそれぞれ組み込まれている。この戸先側気密材２５、２６からは舌片（ヒレ）２５ａ、２６ａが戸体１側に向けて延出しているが、該舌片２５ａ、２６ａは、前記戸尻側気密材２３、２４と同様、戸厚中心面Ｍに対して対称状に何れも戸先側に向けて傾斜している。そして戸体１が全閉状態になったとき、戸体の戸先側コーナー部１ａ、１ｂに当接して気密するようになっているが、戸体１を全閉姿勢から開放方向に移動するのと殆ど同時に該戸先側コーナー部１ａ、１ｂから離間するようになっているので移動抵抗がない。
尚、戸先側気密材２５、２６の舌片２５ａ、２６ａの戸体全閉時の戸体当接位置は、戸先側コーナー部１ａ、１ｂに限定されず、戸体１の戸先面１ｃ、戸体の戸先側屋内外面１ｄ、１ｅであっても勿論よい。
【００１１】
さらに上枠７の戸体１側対向面には戸体対向側が開口したポケット７ａ、７ｂが形成され、該ポケット７ａ、７ｂにゴム弾性を有した上側気密材２７、２８がそれぞれ組み込まれている。この戸先側気密材２７、２８からは舌片（ヒレ）２７ａ、２８ａが戸体１側に向けて延出しているが、該舌片２７ａ、２８ａは、戸厚中心面Ｍに対して対称状に何れも上側に向けて傾斜し、そして戸体１の上側屋内外面１ｆ、１ｇに当接して気密するようになっている。
尚、前記戸尻側気密材２３、２４はポケット１４ａ、１５ａに対して、戸先側気密材２５、２６はポケット９ａ、９ｂに対して、そして上側気密材２７、２８はポケット７ａ、７ｂに対して、それぞれ無理嵌めすることで抜け防止されている。
【００１２】
前記戸体下フレーム１８の振れ止め溝１８ａを挟んだ屋内外面部には、下枠１１に対向する下面が開口したポケット２９ａ、２９ｂが形成されるが、該ポケット２９ａ、２９ｂは、下端縁に開口幅を狭くするためのリップ片２９ｃ、２９ｄが形成された蟻溝形状になっている。そしてポケット２９ａ、２９ｂには、下側気密材３０、３１が組み込まれているが、該下側気密材３０、３１は、幅広な上部３０ａ、３１ａがポケット２９ａ、２９ｂに対して上下動自在に遊嵌すると共に前記リップ片２９ｃ、２９ｄに係止することで抜止めされている。上部３０ａ、３１ａから垂下した中間部３０ｂ、３１ｂがリップ片２９ｃ、２９ｄを遊嵌状に貫通し、中間部３０ｂ、３１ｂの下端面からは舌片（ヒレ）３０ｃ、３１ｃが下枠１１側に向けて延出しているが、該舌片３０ｃ、３１ｃは、何れも下側ほど振れ止め溝１８ａから離間する方向に戸厚中心面Ｍに対して対称状に傾斜し、該下側気密材３０、３１が自重垂下して沓摺り１１ａの上面１１ｃに当接することで気密するようになっている。
因みにこれら気密材２３、２４、２５、２６、２７、２８、３０、３１の各対応する舌片２３ａ、２４ａ、２５ａ、２６ａ、２７ａ、２８ａ、３０ａ、３１ａは、戸厚中心面Ｍに対して対称状に傾斜しているため、屋内外側の何れか一方が負圧（または正圧）になったとしても、屋内外の一方が空気侵入に抗する姿勢で気密性を発揮するように設定されている。
【００１３】
次ぎに、本実施の形態における戸体１の気密構造について具体的に説明する。
まず、全開姿勢にある戸体１は、自閉装置１６および傾斜した吊りレール８によって、閉鎖方向へ向けて自動的に移動することになるが、該閉鎖移動中において、戸尻側気密材２３、２４および戸先側気密材２５、２６は戸体１に当接することがなく、また上側気密材２７、２８は戸体１に当接するものの舌片２７ａ、２８ａの傾斜を変化させて押しつける方向の当接ではなく、該傾斜に変化を与えない直線方向（移動方向）の当接であるので、戸体１の開閉作動に対して大きな摺動抵抗とはならない。
一方、下側気密材３０、３１は、吊りレール８の傾斜によって、開閉移動過程においては舌片３０ａ、３１ａが沓摺り上面１１ｃには当接していないか、当接していても、ポケット２９ａ、２９ｂの上側に逃げることになって、僅かな摺動抵抗となる。しかも、この当接は、上側気密材２７、２８と同様、下側気密材の舌片３０ａ、３１ａの傾斜方向に対向しない直線方向の当接であるので、戸体１の開閉作動に対して大きな抵抗とはならない。
この結果、戸体１は、屋内外における戸尻側、上側、戸先側、下側の四周部と、前記上下両枠、戸先側縦枠の戸体に対向する各屋内外側両部および屋内外側両方立の戸体対向面とのあいだに亘り、屋内外の気密材（戸尻側気密材２３、２４、戸先側気密材２５、２６、上側気密材２７、２８、下側気密材３０、３１）を有しながら、小さな摺動抵抗を伴う開閉作動となって円滑な開閉を行うことができる。
なお、この開閉移動をしている途中で、戸体１に突出する状態で設けられているドアアイ２１が方立１４、１５を通過するが、前述したように戸尻側気密材２３、２４についてはドアアイ２１には当接しないように構成されているため、何ら問題なく戸体１を閉鎖することができる。
【００１４】
そして、戸尻側気密材２３、２４の舌片２３ａ、２４ａは、戸体１が全閉姿勢になる寸前で、戸体１の戸尻側に設けられているタイトバー２２ａ、２２ｂに当接し始め、そして全閉姿勢になると、該タイトバー２２ａ、２２ｂによって戸先方向に湾曲された弾性変形状態となり、これによって、戸体１の屋内外の両戸尻側と方立１４、１５とのあいだがよく封止された気密姿勢になる。
一方、戸先側気密材２５、２６の舌片２５ａ、２６ａは、戸体１が全閉姿勢になる寸前で、戸体１の戸先側コーナー部１ａ、１ｂに当接し始め、そして全閉姿勢になると、該戸先側コーナー部１ａ、１ｂによって戸先方向に湾曲された弾性変形状態となり、これによって、戸体１の屋内外の両戸先側と戸先側縦枠１０とのあいだがよく封止された気密姿勢になる。
また、上側気密材２７、２８については、前述したように戸体１の開閉状態に関わらず戸体１の上側屋内外面１ｆ、１ｇと当接しているためよく封止された気密姿勢になる。
さらに下側気密材３０、３１については、前述したようにポケット２９ａ、２９ｂを上下動する構成になっていると共に吊りレール８が戸先側ほど低くなるよう傾斜しているため、戸体１が全閉姿勢となっているときには頭部３０ａ、３１ａの下端面がリップ片２９ｃ、２９ｄから少し持ち上がった自重垂下状態になっていて舌片３０ｃ、３１ｃ全体が該沓摺り上面１１ｃと弾性的に当接することになって、戸体１の下フレーム１８と沓摺り上面１１ｃとのあいだがよく封止された気密姿勢になる。そして戸体１を全閉姿勢から開放していくと、下側気密材３０、３１は、頭部３０ａ、３１ａの下面がリップ片２９ｃ、２９ｄに当接するまでポケット２９ａ、２９ｂを自重降下し、それ以上開放すると、舌片３０ｃ、３１ｃが沓摺り上面１１ｃから離間する状態となって開閉抵抗のない状態となる。さらに下側気密材３０、３１は、ポケット２９ａ、２９ｂを上下移動する構成になっているため、沓摺り上面１１ｃが水平でない場合でも気密性を維持することができる。
【００１５】
このように本発明が実施された形態のものでは、戸体１が全閉姿勢になった場合に、該戸体１は、屋内外における戸尻側、上側、戸先側、下側の四周部と、前記上下両枠、戸先側縦枠の戸体に対向する各屋内外側両部および屋内外側両方立の戸体対向面とのあいだに亘り、それぞれ屋内外の戸尻側気密材２３、２４、上側気密材２７、２８、戸先側気密材２５、２６、下側気密材３０、３１によってよく封止された気密性能が備えられることになって、高い防音、防煙機能が達成された遮蔽性を付与することができる。
【００１６】
しかもこのものでは、下側気密材３０、３１が、沓摺り１１ａではなく戸体１側に設けられているため、屋内外を封止するものでありながら、沓摺りとなる下枠１１の上面屋内外両側に下側気密材を設けるための凹溝状の段差を設ける必要がなく、沓摺り１１ａ全体を単純な逆凵字形状とすることができ、この結果、バリアフリーに寄与できるだけでなく、ゴミ等の夾雑物が凹溝内に入り込むこともない。
【００１７】
そのうえ各気密材の舌片２３ａ、２４ａ、２５ａ、２６ａ、２７ａ、２８ａ、３０ｃ、３１ｃは、戸体１の戸厚中心面Ｍに対して対称状に傾斜している結果、屋内側、屋外側の何れか一方が負圧（または正圧）になったとしても、屋内外の一方が空気侵入に抗する姿勢となるため、一段と高い気密性を発揮することになる。
【産業上の利用可能性】
【００１８】
本発明は、屋内外にパネルを備えた両閉鎖式の戸袋を有した上吊式引き戸において、優れた気密性を発揮できる技術分野に利用することができる。
【符号の説明】
【００１９】
１  戸体
７  上枠
８  吊りレール
９  左（戸先側）縦枠
１０  右（戸尻側）縦枠
１１  下枠
１１ａ  沓摺り
２３、２４  戸尻側気密材
２３ａ、２４ａ  舌片
２５、２６  戸先側気密材
２５ａ、２６ａ  舌片
２７、２８  上側気密材
２７ａ、２８ａ  舌片
３０、３１  下側気密材
３０ｃ、３１ｃ  舌片
【図１】
2012052291.tif 000003
【図２】
2012052291.tif 000004
【図３】
2012052291.tif 000005
【図４】
2012052291.tif 000006
【図５】
2012052291.tif 000007